(57)【要約】  【課題】  原稿から読み取られた画像データに基づいて、原稿の改竄を判定可能にする改竄文書管理装置を提供する。    【解決手段】  文書管理装置２は、略均一な光を用いて、原稿から第１の画像データを読み取り、原稿表面に対して斜め方向から照射された光を用いて、この原稿から第２の画像データを読み取る。利用者は、読み取られた２つの画像データを表示して対比することにより、原稿表面の凹凸（例えば、消しゴムによる消し痕）などを判別できる。また、文書管理装置２は、上記のように同一の原稿から読み取られた２つの画像データの組に対して、タイムスタンプ証明書を発行する。これにより、読み取られた２つの画像データの真正性が保証される。【選択図】図４
2006295755.tif 000002
【特許請求の範囲】
【請求項１】
原稿を第1の画像読取方法で読み取る第1の読取手段と、
前記原稿を第2の画像読取方法で読み取る第2の読取手段と、
前記第1の読取手段により前記原稿から読み取られた画像データと、前記第2の読取手段によりこの原稿から読み取られた画像データとを互いに対応付ける対応付け手段と
を有する画像読取装置。
【請求項２】
前記対応付け手段により対応付けられた画像データの組に対して、証明情報を付与する証明情報付与手段
をさらに有する請求項１に記載の画像読取装置。
【請求項３】
前記第１の読取手段は、前記原稿に対して、前記第２の読取手段とは異なる光照射を行って、この原稿の画像データを読み取る
請求項１又は２に記載の画像読取装置。
【請求項４】
前記第１の読取手段は、前記原稿からの光に対して、前記第２の読取手段とは異なる光検知を行って、この原稿の画像データを読み取る
請求項１又は２に記載の画像読取装置。
【請求項５】
原稿を第1の画像読取方法で読み取る第1の読取手段と、
前記原稿を第2の画像読取方法で読み取る第2の読取手段と
を有する改竄文書管理装置。
【請求項６】
原稿に対して、斜め方向に光を照射する光照射手段と、
前記原稿からの反射光に基づいて、この原稿の画像を読み取る読取手段と
を有する改竄文書管理装置。
【請求項７】
同一の原稿から読み取られた複数の画像データと、
前記複数の画像データの組に関して真正性を保証する証明データと
を有するデータファイル。
【請求項８】
前記複数の画像データは、互いに異なる画像読取方法で同一の原稿から読み取られた画像データである
請求項７に記載のデータファイル。
【請求項９】
原稿を第1の画像読取方法で読み取り、
前記原稿を第2の画像読取方法で読み取り、
前記第1の読取方法で前記原稿から読み取られた画像データと、前記第2の読取方法でこの原稿から読み取られた画像データとを互いに対応付ける
画像読取方法。
【請求項１０】
原稿に対して、斜め方向に光を照射し、
前記原稿からの反射光に基づいて、この原稿の画像を読み取る
改竄文書管理方法。
【請求項１１】
原稿を第1の画像読取方法で読み取るステップと、
前記原稿を第2の画像読取方法で読み取るステップと、
前記第1の読取方法で前記原稿から読み取られた画像データと、前記第2の読取方法でこの原稿から読み取られた画像データとを互いに対応付けるステップと
をコンピュータに実行させるプログラム。
【請求項１２】
原稿に対して、斜め方向に光を照射するステップと、
前記原稿からの反射光に基づいて、この原稿の画像を読み取るステップと
をコンピュータに実行させる改竄文書管理プログラム。
【発明の詳細な説明】
【技術分野】
【０００１】
本発明は、原稿の改竄などを判定可能にする改竄文書管理装置に関する。
【背景技術】
【０００２】
例えば、特許文献１は、証明書のイメージ取得手段側と反対側の面を照射する透過光源を備えた透過光源ユニットを設けた証明書識別装置を開示する。
また、特許文献２は、画像データ中に存在する特定パターンらしきパターンを検出した場合に、この画像データに対し、検出対象である画像データであることを示す特徴情報を合成する画像処理装置を開示する。
【特許文献１】特開平１１−３９４６８号公報
【特許文献２】特開２０００−３１６０８４号公報
【発明の開示】
【発明が解決しようとする課題】
【０００３】
本発明は、上述した背景からなされたものであり、原稿の改竄を判定可能にする改竄文書管理装置を提供することを目的とする。
【課題を解決するための手段】
【０００４】
［画像読取装置］
上記目的を達成するために、本発明にかかる画像読取装置は、原稿を第1の画像読取方法で読み取る第1の読取手段と、前記原稿を第2の画像読取方法で読み取る第2の読取手段と、前記第1の読取手段により前記原稿から読み取られた画像データと、前記第2の読取手段によりこの原稿から読み取られた画像データとを互いに対応付ける対応付け手段とを有する。
【０００５】
好適には、前記対応付け手段により対応付けられた画像データの組に対して、証明情報を付与する証明情報付与手段をさらに有する。
【０００６】
好適には、前記第１の読取手段は、前記原稿に対して、前記第２の読取手段とは異なる光照射を行って、この原稿の画像データを読み取る。
【０００７】
好適には、前記第１の読取手段は、前記原稿からの光に対して、前記第２の読取手段とは異なる光検知を行って、この原稿の画像データを読み取る。
【０００８】
［改竄文書管理装置］
また、本発明にかかる改竄文書管理装置は、原稿を第1の画像読取方法で読み取る第1の読取手段と、前記原稿を第2の画像読取方法で読み取る第2の読取手段とを有する。
【０００９】
また、本発明にかかる改竄文書管理装置は、原稿に対して、斜め方向に光を照射する光照射手段と、前記原稿からの反射光に基づいて、この原稿の画像を読み取る読取手段とを有する。
【００１０】
［データファイル］
また、本発明にかかるデータファイルは、同一の原稿から読み取られた複数の画像データと、前記複数の画像データの組に関して真正性を保証する証明データとを有する。
【００１１】
好適には、前記複数の画像データは、互いに異なる画像読取方法で同一の原稿から読み取られた画像データである。
【００１２】
［画像読取方法］
また、本発明にかかる画像読取方法は、原稿を第1の画像読取方法で読み取り、前記原稿を第2の画像読取方法で読み取り、前記第1の読取方法で前記原稿から読み取られた画像データと、前記第2の読取方法でこの原稿から読み取られた画像データとを互いに対応付ける。
【００１３】
［改竄文書管理方法］
また、本発明にかかる改竄文書管理方法は、原稿に対して、斜め方向に光を照射し、前記原稿からの反射光に基づいて、この原稿の画像を読み取る。
【００１４】
［プログラム］
また、本発明にかかるプログラムは、原稿を第1の画像読取方法で読み取るステップと、前記原稿を第2の画像読取方法で読み取るステップと、前記第1の読取方法で前記原稿から読み取られた画像データと、前記第2の読取方法でこの原稿から読み取られた画像データとを互いに対応付けるステップとをコンピュータに実行させる。
【００１５】
また、本発明にかかるプログラムは、原稿に対して、斜め方向に光を照射するステップと、前記原稿からの反射光に基づいて、この原稿の画像を読み取るステップとをコンピュータに実行させる。
【発明の効果】
【００１６】
本発明の改竄文書管理装置によれば、原稿から読み取られた画像データに基づいて、原稿の改竄を判定することができる。
【発明を実施するための最良の形態】
【００１７】
まず、本発明の理解を助けるために、その背景及び概略を説明する。
紙での保存が義務付けられている財務や税務関連の書類・帳票を、電子データとして保存することを認める法律（通称、電子文書法）がある。
これにより、初めから電子文書として作成された書類の保存だけでなく、紙で作成された書類（原稿）をスキャナで電子化する場合も、一定の技術要件を満たせば原本とみなすことができるようになる。
【００１８】
しかしながら、原稿自体に改竄等がなされていた場合に、この原稿から読み取られた画像データをそのまま保持しているだけでは、後になって、原稿に対する改竄の有無を判別することができない。
例えば、原稿に対して、上書き、紙の貼り合わせ、又は、消しゴムによる消去などがなされた場合に、この原稿からスキャナで読み取られた画像データだけでは、このような改竄行為がなされたことを判別することは困難である。
【００１９】
このような状況において、例えば、特許文献１は、原稿の裏面から光をあてて、透過した画像をスキャンする方式を開示する。これにより、スキャン画像から、紙質、紙の貼り合わせ、透かし、二重印刷などの検知が可能となる。
しかしながら、この方式では、スキャン後の画像を利用するためには、透過光スキャナで取得した画像の他に、一般の画像スキャナで取得した普通の画像が必要になる。すなわち、装置が二重となるため不経済である。また、上書き、及び、消しゴムによる消去を高い精度で検知することが困難である。
【００２０】
また、特許文献２は、紙上の特徴ある部分を画像処理によって強調しておく方式を開示する。
この方式では、そもそも恣意的な画像処理が加わるため、スキャンされた画像データが本当に原稿上のイメージそのものであるか信用できない。また、上書きなどで巧妙に改竄された場合には、特徴ある部分として検出されない可能性もある。
【００２１】
そこで、本実施形態における文書管理装置２は、複数の画像読取方法で、原稿に形成された画像を読み取り、読み取られた複数の画像データに対して、証明情報（例えば、タイムスタンプ証明書など）を付与する。これにより、原稿表面の情報が複数の画像読取方法により読み取られるため、これらの情報を比較することにより、改竄痕などが判別可能になる。
また、本実施形態における文書管理装置２は、原稿の画像が形成された面に対して、斜め方向に光を照射して、この原稿に形成された画像を読み取る。これにより、読み取られた画像データに基づいて、原稿表面の凹凸（例えば、消しゴムによる消し痕）などが判別可能になる。
【００２２】
［第１実施形態］
まず、本発明が適用される文書管理装置２の構成を説明する。
図１は、第１の実施形態における文書管理装置２の構成を示す図である。
図１に示すように、文書管理装置２は、画像読取ユニット１０、画像処理装置２０、証明情報付与ユニット３０、及び記憶装置４０を有する。
【００２３】
まず、文書管理装置２の概略を説明すると、文書管理装置２の上部には、画像読取ユニット１０が配設されている。画像読取ユニット１０は、例えば、利用者の操作応じて、原稿に表示された画像を読み取って、画像データとして画像処理装置２０に対して出力する。画像処理装置２０は、画像読取ユニット１０から入力された画像データに対して、シェーディング補正又は下地除去などの画像処理を施す。
証明情報付与ユニット３０は、画像読取ユニット１０により読み取られた画像データのうち、利用者に指定された画像データに対して、真正性を保証する証明情報（例えば、画像データのハッシュ値、又は、タイムスタンプ）を付与する。
記憶装置４０は、画像読取ユニット１０により読み取られた画像データを記憶する。また、記憶装置４０は、読み取られた画像データに証明情報が付与されている場合に、この画像データと、この画像データに付与された証明情報とを互いに対応付けて記憶する。
【００２４】
次に、文書管理装置２の各構成についてより詳細に説明する。
図１に示すように、画像読取ユニット１０は、原稿を載せるプラテンガラス１０４と、この原稿をプラテンガラス１０４上に押圧するプラテンカバー１０２と、プラテンガラス１０４上に載置された原稿に対して光を照射する光源ユニット１１と、この原稿からの反射光（又は透過光）を光電変換して画像データを生成する光電変換ユニット１３とを有する。光電変換ユニット１３は、例えば、ＣＣＤで構成されている。
画像読取ユニット１０は、光源ユニット１１、並びに、フルレートミラー１２２、第１のハーフレートミラー１２４、第２のハーフレートミラー１２６及び結像レンズ１２７からなる縮小光学系を協働させて、プラテンガラス１０４上に載置された原稿を走査露光して、光電変換ユニット１３により原稿からの反射光（又は透過光）を所定のドット密度（例えば、１６ドット／ｍｍ）で読み取る。
本例の画像読取ユニット１０は、画像データに対する証明情報の付与が要求された場合に、後述するように、同一の原稿から、互いに異なる複数の読取り方法で画像データを読み取り、読み取られた複数の画像データを画像処理装置２０に出力する。
【００２５】
画像処理装置２０は、画像読取ユニット１０により読み取られた画像データに対して、シェーディング補正、原稿の位置ズレ補正、明度／色空間変換、ガンマ補正、枠消し、スムージング処理、スクリーン処理等の所定の画像処理を施す。
本例の画像処理装置２０は、画像データに対する証明情報の付与が要求された場合に、読み取られた複数の画像データのうち、少なくとも１つの画像データに対して、画像処理の一部を禁止する。より具体的には、画像処理装置２０は、改竄痕を検出するために読み取られた画像データに対して、下地除去、枠消し及びスムージング処理の少なくとも１つを禁止し、閲覧用の画像データに対して、下地除去、枠消し及びスムージング処理を許容する。
【００２６】
証明情報付与ユニット３０は、画像読取ユニット１０により読み取られた複数の画像データの組（セット）に対して、画像データの真正性を保証する証明情報を付与する。
例えば、証明情報付与ユニット３０は、画像読取ユニット１０により同一の原稿から読み取られた複数の画像データのハッシュ値を算出し、算出されたハッシュ値を、これらの画像データの証明情報とする。また、証明情報付与ユニット３０は、画像読取ユニット１０により同一の原稿から複数の画像データが読み取られた時点を検出し、検出された時点の日付及び時刻を示す時刻データを、これらの画像データの証明情報とする。
本例の証明情報付与ユニット３０は、画像読取ユニット１０により同一の原稿から読み取られた複数の画像データに関して、これらの画像データのハッシュ値と、これらの画像データの読取時点を示す時刻データとを、証明情報（タイムスタンプ）として生成する。
なお、証明情報付与ユニット３０は、ネットワーク回線を介して、他の認証局に、ハッシュ値及び時刻データの生成を依頼してもよい。
【００２７】
記憶装置４０は、画像データに対する証明情報の付与が要求された場合に、画像読取ユニット１０により読み取られた複数の画像データと、証明情報付与ユニット３０により付与された証明情報とを互いに対応付けて記憶する。
【００２８】
図２は、画像読取ユニット１０（図１）による閲覧用画像の読取処理を説明する図である。
図２（Ａ）に例示するように、光源ユニット１１は、複数の光源１１２及び１１４を有する。なお、本例の光源ユニット１１は、複数のランプを離れた位置に配置することにより、第１の光源１１２及び第２の光源１１４を実現しているが、これに限定されるものではなく、例えば、１つのランプから照射された光をミラー等で偏向させることにより、第１の光源１１２及び第２の光源１１４を実現してもよい。
第１の光源１１２及び第２の光源１１４は、それぞれ、原稿の表面に対して、斜め方向に光を照射する。ここで、斜め方向とは、原稿の表面に対して略垂直方向以外の方向を意味する。
本例の第１の光源１１２及び第２の高原１１４は、互いに異なる方向から、原稿の表面に光を照射する。すなわち、第１の光源１１２及び第２の光源１１４は、同時に光を照射することにより、略均一な光を原稿表面に照射することができる。
したがって、図２（Ａ）及び（Ｂ）に例示するように、原稿の表面に凹凸がある場合でも、図２（Ｂ）に例示するように、複数の光源により複数の方向から光が照射されることにより、画像読取ユニット１０は、原稿表面の凹凸に起因する影が存在しない画像を読み取ることができる。
【００２９】
図３は、画像読取ユニット１０（図１）による改竄痕検出用画像の読取処理を説明する図である。
図３（Ａ）に例示するように、画像読取ユニット１０は、改竄痕を検出するための画像を読み取る場合に、複数の光源のうちの一部の光源で原稿に光を照射させる。
本例の画像読取ユニット１０は、第１の光源１１２を消灯し、第２の光源１１４のみで、原稿の表面に光を照射させる。
この場合に、図３（Ｂ）に例示するように、第２の光源１１４は、原稿の表面に対して、斜め方向に光を照射するため、原稿表面に凹凸が存在する場合には、この凹凸に対応する影が読み取られる。
【００３０】
［全体動作］
次に、文書管理装置２の全体動作を説明する。
図４は、文書管理装置２（図１）による文書管理処理（Ｓ１０）のフローチャートである。
図４に示すように、ステップ１００（Ｓ１００）において、文書管理装置２は、利用者による入力操作（画像読取処理の開始、及び、証明情報付与の要求など）を受け付けると、まず、均一な光で原稿の表面を照射して、原稿表面に形成された画像を読み取る。
具体的には、画像読取ユニット１０（図１，図２）は、光源ユニット１１（図２）に設けられた第１の光源１１２及び第２の光源１１４を点灯させ、この光源ユニット１１と、フルレートミラー１２２、第１のハーフレートミラー１２４及び第２のハーフレートミラー１２６等を含む縮小光学系を副走査方向に移動させて、原稿表面の画像を走査露光し、原稿表面からの反射光を光電変換ユニット１３で画像データに変換する。
【００３１】
ステップ１１０（Ｓ１１０）において、画像処理装置２０は、画像読取ユニット１０により読み取られた画像データ（以下、閲覧用画像データ）に対して、シェーディング補正及び下地除去などを含む画像処理を施す。
【００３２】
ステップ１２０（Ｓ１２０）において、文書管理装置２は、利用者から、証明情報の付与が要求されている場合に、Ｓ１３０の処理に移行し、証明情報の付与が要求されていない場合に、Ｓ１５０の処理に移行する。
すなわち、本例の文書管理装置２は、画像データに対する証明情報の付与が要求されている場合に、同一の原稿に対して画像読取処理を複数回繰り返して行い、画像データに対する証明情報の付与が要求されていない場合に、１つの原稿に対して１回の画像読取処理のみを行う。
【００３３】
ステップ１３０（Ｓ１３０）において、文書管理装置２は、偏向光源で原稿の表面に光を照射して、原稿表面に形成された画像を読み取る。
具体的には、画像読取ユニット１０（図１，図３）は、光源ユニット１１（図３）に設けられた第２の光源１１４のみを点灯させ、この光源ユニット１１と、フルレートミラー１２２、第１のハーフレートミラー１２４及び第２のハーフレートミラー１２６等を含む縮小光学系を副走査方向に移動させて、原稿表面の画像を走査露光し、原稿表面からの反射光を光電変換ユニット１３で画像データ（以下、改竄痕検出用画像データ）に変換する。
このように、第２の光源１１４のみが原稿に対して斜め方向に光を照射するため、画像読取ユニット１０により読み取られる画像には、原稿表面の凹凸に応じた影が含まれる場合がある。
【００３４】
ステップ１４０（Ｓ１４０）において、画像処理部２０（図１）は、画像読取ユニット１０により読み取られた改竄痕検出用画像データに対して、シェーディング補正のみを行う。すなわち、画像処理部２０は、改竄痕検出用画像データに対して、下地除去処理を行わない。
証明情報付与ユニット３０は、画像処理部２０から出力される閲覧用画像データ及び改竄痕検出用画像データに基づいて、ハッシュ値を算出し、算出されたハッシュ値と、これらの画像データ（閲覧用画像データ及び改竄痕検出用画像データ）が読み取られた時点の時刻データとを互いに対応付けて証明情報とする。
【００３５】
ステップ１５０（Ｓ１５０）において、記憶装置４０は、証明情報の付与が要求されている場合に、画像処理部２０から出力された閲覧用画像データ及び改竄痕検出用画像データと、証明情報付与ユニット３０により生成された証明情報（すなわち、ハッシュ値と時刻データとの組）とを互いに対応付けて記憶する。
また、記憶装置４０は、証明情報の付与が要求されていない場合に、画像処理部２０から出力された閲覧用画像データをそのまま記憶する。
【００３６】
ステップ１６０（Ｓ１６０）において、文書管理装置２は、画像読取ユニット１０にセットされた原稿全てについて、画像読取処理を行ったか否かを判定し、画像読取処理がなされていない原稿がある場合に、Ｓ１００の処理に戻って、次の原稿に対する処理を行い、全ての原稿について画像読取処理が完了した場合に、文書管理処理（Ｓ１０）を終了する。
【００３７】
図５は、文書管理装置２により作成されるデータファイル８００を例示する図である。
図５に例示するように、文書管理装置２は、証明情報の付与が要求された場合に、同一の原稿から読み取られた複数の画像データ８１０及び８２０と、これらの画像データの真正性を保証する証明データ８３０とを含むデータファイル８００を作成し、作成されたデータファイル８００を記憶する。
このデータファイル８００に含まれる第１の画像データ８１０及び第２の画像データ８２０は、互いに異なる画像読取処理により同一の原稿から読み取られた画像データである。より具体的には、第１の画像データ８１０は、略均一な光を原稿に照射して読み取られた閲覧用画像データであり、第２の画像データ８２０は、光を斜め方向から照射して読み取られた改竄痕検出用画像データである。
また、本例の証明データ８３０は、第１の画像データ８１０及び第２の画像データ８２０の組について算出されたハッシュ値と、これらの画像データが読み取られた時点に対応する時刻データとを含む。
【００３８】
利用者は、このデータファイル８００に含まれる証明データ８３０を用いて、画像読取処理以降に、第１の画像データ８１０又は第２の画像データに対して改竄がなされていないかを確認することができる。
また、利用者は、第１の画像データ８１０及び第２の画像データ８２０を表示して比較することにより、原稿に対して改竄がなされた痕（例えば、紙が二重になっている部分、砂消しゴムによる消し痕、修正液など）を確認することができる。
【００３９】
以上説明したように、本実施形態における文書管理装置２は、原稿表面（画像が形成されている面）に対して、斜め方向から光を照射して、原稿の画像を読み取り、読み取られた画像データに対して証明情報を付与する。これにより、読み取られた画像データに対する改竄の有無が確認できると共に、原稿に対する改竄の有無も確認可能になる。
また、本実施形態の文書管理装置２は、略均一な光線で読み取られた閲覧用画像データと、斜め方向からの光線で読み取られた改竄痕検出用画像データとを互いに対応付けて管理する。これにより、利用者は、閲覧用画像データと改竄痕検出用画像データとを比較して、原稿に対する改竄の有無を確認することができる。
【００４０】
［透過光をスキャンする形態］
次に、上記実施形態の変形例を説明する。
図６は、第１の変形例における光源ユニット１１を例示する図である。
図６に例示するように、第１の変形例の光源ユニット１１は、図２及び図３に例示した第１の光源１１２及び第２の光源１１４に加えて、第３の光源１１６を有する。
第３の光源１１６は、原稿を基準として、第１の光源１１２及び第２の光源１１４の反対側に設けられている。すなわち、第３の光源１１６と、第１の光源１１２及び第２の光源１１４とは、原稿を挟む位置に設けられ、互いに異なる面に光を照射する。
このように、第３の光源１１６は、原稿の裏面に光を照射する。
この場合に、第３の光源１１６から照射された光は、原稿を透過し、この透過光は、フルレートミラー１２２で偏向されて、縮小光学系を介して光電変換ユニット１３に入力される。
【００４１】
第１の変形例における文書管理装置２は、第１の光源１１２及び第２の光源１１４を点灯させて、閲覧用画像データを読み取り、第３の光源１１６を点灯させて、原稿を透過した光を読み取って、読み取られた透過光画像を改竄痕検出用画像データとする。
この改竄痕検出用画像データにより、シートの貼り合わせや修正液等を用いた改竄の痕が検出可能になる。
【００４２】
［波長の異なる光でスキャンする形態］
図７は、第２の変形例における光源ユニット１１を例示する図である。
図７（Ａ）に例示するように、第２の変形例における光源ユニット１１は、光源１１４と原稿との間に配置されたフィルタユニット１１８を有する。
本例のフィルタユニット１１８は、複数のフィルタを有し、透過させる光の波長範囲（例えば、可視光範囲、紫外光範囲、赤外光範囲、及び、全波長範囲）を切り替えることができる。
また、本例の光源１１４は、原稿表面（画像の読取り面）に対して、略垂直に光を照射することができる。また、本例の光源１１４は、可視光、赤外光及び紫外光が含まれた光を照射することができる。
第２の変形例における文書管理装置２は、閲覧用画像データを読み取る場合に、フィルタユニット１１８を制御して、光源１１４から照射された光のうち、可視光範囲のみ又は全波長範囲を透過させて、透過した光で原稿を読み取り、改竄痕検出用画像データを読み取る場合に、フィルタユニット１１８を制御して、光源１１４から照射された光のうち、紫外光範囲のみ又は赤外光範囲のみを透過させて、透過した光で原稿を読み取る。換言すると、本例の文書管理装置２は、可視光を含む光を用いて、原稿の画像を読み取り、かつ、可視光を含まない光（例えば、紫外光又は赤外光）を用いて、原稿の画像を読み取る。
これにより、紫外光又は赤外光を用いて読み取られた改竄痕検出用画像データに基づいて、原稿の改竄痕が検出可能になる。
特に、文書管理装置２は、紫外光又は赤外光を用いて、原稿をスキャンすることにより、原稿表面の疵や原稿の孔などの検出を可能にする。
【００４３】
また、文書管理装置２は、図７（Ｂ）に例示するように、原稿と光電変換ユニット１３との間の光路上にフィルタユニット１１８を設けてもよい。
この場合に、文書管理装置２は、フィルタユニット１１８を制御して、原稿からの反射光の中から、特定の波長領域内の反射光を選択し、選択された反射光を光電変換ユニット１３で読み取り、読み取られた画像データを改竄痕検出用画像データとする。
【００４４】
［分光特性の異なる光源を用いる形態］
図８は、第３の変形例における光源ユニット１１を例示する図である。
図８に例示するように、第３の変形例の光源ユニット１１は、分光特性の異なる複数の光源を有する。光源は、例えば、蛍光灯、ハロゲンランプ又はＬＥＤなどである。
本変形例で適用される複数の光源は、照射される光のスペクトルの少なくとも一部が相違するようなものであればよい。
本例の光源ユニット１１は、図８（Ａ）に例示するように、赤外光のみを照射する赤外光源１１３と、可視光のみを照射する可視光源１１４とを有する。
これらの赤外光源１１３及び可視光源１１４は、原稿表面（読取り面）に対して略垂直に光を照射することができ、文書管理装置２は、閲覧用画像データを読み取る場合に、可視光源１１４を点灯させて、可視光源１１４から照射された可視光を用いて、原稿の画像を読み取り、改竄痕検出用画像データを読み取る場合に、赤外光源１１３を点灯させて、赤外光源１１３から照射された赤外光のみを用いて、原稿の画像を読み取る。
【００４５】
なお、光源ユニット１１は、図８（Ｂ）に例示するように、紫外光のみを照射する紫外光源１１５と、可視光のみを照射する可視光源１１４とを有するように構成してもよい。
【００４６】
［トナーの種類を判別する形態］
上記実施形態の文書管理装置２は、互いに異なる画像読取方法により、同一の原稿から複数の画像データを読み取り、読み取られた複数の画像データを利用者に提供することにより、改竄痕の有無を判定させているが、さらに、読み取られた画像データから、改竄痕の有無を判定するためのデータを抽出してもよい。
そこで、第４の変形例における文書管理装置２は、読み取られた画像データに基づいて、発色剤の種類の相違を判定するための発色剤情報を生成する。
具体的には、本変形例の文書管理装置２は、図８（Ａ）に例示する光源ユニット１１を有し、特定の波長の赤外光を用いて、改竄痕検出用画像を作成し、作成された改竄痕検出用画像を用いて、この赤外光の反射率を画像領域毎に判定する。
本例の文書管理装置２は、画像領域毎の反射率を複数の区分に分類し、それぞれの区分を示す区分情報を改竄痕検出用画像に付加する。この区分情報は、発色剤情報の一例である。
利用者は、閲覧用画像と、区分情報が付加された改竄痕検出用画像とを比較して、同一の色の領域が単一の発色剤（トナー又はインク）で印刷されているか否か、又は、特定の色が既定の発色剤で印刷されているか否かを判定することにより、改竄の有無を確認することができる。
【００４７】
なお、本変形例では、図８（Ａ）に例示する光源ユニット１１を用いる形態を具体例としているが、図７（Ａ）又は（Ｂ）に例示する光源ユニット１１を用いてもよい。
【００４８】
［不可視情報を判別する形態］
また、原稿には、可視光下で視認可能な画像に加えて、非可視光下でのみ視認可能な情報（以下、不可視情報）が含まれる場合がある。例えば、蛍光剤を含むインクで不可視情報が印刷された場合には、特定の紫外線を含む光が照射されると、このインクが蛍光発光して不可視情報が視認可能となる。
そこで、第５の変形例における文書管理装置２は、同一の原稿から、不可視情報が可視化されていない画像データと、不可視情報が可視化された画像データとを作成し、これらの画像データを互いに対応付けて管理する。
具体的には、本変形例の文書管理装置２は、図８（Ｂ）に例示する光源ユニット１１を有する。本例の紫外光源１１５（図８（Ｂ））は、不可視情報の印刷に用いられる発色剤（例えば、蛍光剤からなるインク）の吸収スペクトルに対応する波長の紫外線を発生させて、この波長の紫外線のみを原稿に照射する。また、本例のプラテンガラス１０４は、この紫外線の減衰率の低い素材で構成されている。
【００４９】
本変形例の文書管理装置２は、上記構成により、可視光源１１４（図８（Ｂ））のみで原稿に可視光を照射して、不可視情報が含まれていない第１の画像データを読み取り、紫外光源１１５（図８（Ｂ））のみで原稿に特定の紫外光を照射して、不可視情報が含まれた第２の画像データを読み取る。
これにより、例えば、原本である原稿全体に不可視情報が印刷されている場合に、利用者は、不可視情報が可視化された第２の画像データを閲覧することにより、原本がスキャンされたか否かを確認できる。また、紙の貼り合わせ、又は、他の発色剤（インクなど）による上書き等がなされた場合には、不可視情報が見えなくなるため、利用者は、改竄がなされたことを検出できる。
【００５０】
［蛍光色をスキャンする形態］
上記第５の変形例では、不可視情報を可視化するために、紫外光を照射して蛍光を検出したが、蛍光剤は、不可視情報を印刷するための発色剤だけでなく、可視光下で視認可能な発色剤にも含まれている場合がある。
そこで、第６の変形例における文書管理装置２は、原稿から、蛍光成分を含まない画像データと、蛍光成分のみからなる画像データとを読み取る。
具体的には、本変形例の文書管理装置２は、図７（Ａ）に例示する光源ユニット１１を有し、フィルタユニット１１８のフィルタを切り替えることにより、可視光のみを原稿に照射して第１の画像データ（非蛍光成分の画像データ）を読み取り、紫外光のみを原稿に照射して第２の画像データ（蛍光成分の画像データ）を読み取る。
このように読み取られた画像データは、原稿に含まれる非蛍光成分と蛍光成分とが分離されたものであり、利用者は、非蛍光成分の位置と蛍光成分の位置とを対比することにより、原稿に表示された画像が単一の発色剤のセットで形成されたものであるのか、又は、他の発色剤で加筆等されたものなのかを判断できる。
【００５１】
［拡散度の異なる光でスキャンする形態］
第７の変形例における文書管理装置２は、拡散度の異なる光で、同一の原稿から複数の画像データを読み取る。
具体的には、本変形例の文書管理装置２は、図７（Ａ）に例示する光源ユニット１１を有し、この光源ユニット１１のフィルタユニット１１８は、拡散度の異なる複数の拡散フィルタを有する。フィルタユニット１１８に設けられた拡散フィルタは、光源１１４からの光を拡散して、光量むらを低減させると共に、原稿上の疵を目立ちにくくする。
すなわち、本変形例の文書管理装置２は、フィルタユニット１１８を制御して、既定の拡散フィルタを透過した光（高拡散光）を用いて、原稿から閲覧用画像データを読み取り、この拡散フィルタよりも拡散度の低い光（例えば、より拡散度の低い拡散フィルタを透過した光、又は、いずれの拡散フィルタも通過させていない光）を用いて、原稿から改竄痕検出用画像データを読み取る。
拡散度の高い光でスキャンされた画像データは、原稿上の疵が目立たなくなっているため、閲覧に適した画像が提供され、拡散度の低い光でスキャンされた画像データは、原稿上の疵を再現可能であるため、原稿上の改竄痕の検出に適した画像が提供される。
【００５２】
［異なる光量でスキャンする形態］
第８の変形例における文書管理装置２は、原稿に照射する光量を変化させて、複数の画像データを同一の原稿から読み取る。
具体的には、本変形例の文書管理装置２は、図７（Ａ）に例示する光源ユニット１１を有し、この光源ユニット１１のフィルタユニット１１８は、光量の調整量が異なる複数の光量調整フィルタを有する。本例のフィルタユニット１１８は、通常の画像読取処理で用いられる基準光量フィルタと、この基準光量フィルタよりも多くの光を透過させるオーバー光量フィルタと、この基準光量フィルタよりも少ない光を透過させるアンダー光量フィルタとを有する。
本変形例の文書管理装置２は、フィルタユニット１１８を制御して、基準光量フィルタを透過した光を用いて、原稿から閲覧用画像データを読み取り、オーバー光量フィルタを透過した光を用いて、原稿から第１の改竄痕検出用画像データ（以下、オーバー画像）を読み取り、アンダー光量フィルタを透過した光を用いて、原稿から第２の改竄痕検出用画像データ（以下、アンダー画像）を読み取る。
オーバー画像は、微細な模様（原稿上の疵など）を飛ばした画像となり、アンダー画像は、微細な模様を解像した画像となる。したがって、利用者は、第１の改竄痕検出用画像データ（オーバー画像）と、第２の改竄痕検出用画像（アンダー画像）とを比較することにより、改竄痕の有無を確認することができる。また、文書管理装置２が、第１の改竄痕検出用画像データ（オーバー画像）と第２の改竄痕検出用画像（アンダー画像）との差分画像を生成し、生成された差分画像を利用者に提供してもよい。
なお、本変形例の文書管理装置２は、第１の改竄痕検出用画像データ（オーバー画像）と、第２の改竄痕検出用画像（アンダー画像）とを作成しているが、第２の改竄痕検出用画像のみを作成してもよい。
【００５３】
［第２の実施形態］
次に、第２の実施形態を説明する。上記第１の実施形態では、原稿に対する光の照射方法を異ならせることにより、互いに異なる複数の画像読取処理を実現しているが、これに限定されるものではなく、例えば、原稿からの反射光（又は透過光）を検知する光検知方法を異ならせることにより、互いに異なる複数の画像読取処理を実現してもよい。
そこで、第２の実施形態における文書管理装置２は、複数の光検知方法を適用して、同一の原稿から、複数の画像データを読み取る。
【００５４】
図９は、第２の実施形態で適用される画像読取ユニット１０を模式的に説明する図である。
図９に例示するように、第２の実施形態の画像読取ユニット１０は、１つの光源１１４を含む光源ユニット１１と、複数の光学系と、複数の光電変換素子（第１の光電変換素子１３２及び第２の光電変換素子１３４）が含まれた光電変換ユニット１３とを有する。
本例の光源ユニット１１は、原稿表面に対して略垂直な方向から光を照射する。したがって、原稿表面には略均一な光が照射される。
本例の第１の光電変換素子１３２及び第２の光電変換素子１３４は、共にＣＣＤで構成されており、互いに異なる光路（光学系）を介して、原稿からの反射光（又は透過光）をそれぞれ検知し、検知された光を画像データに変換する。すなわち、第１のフルレートミラー１２２ａは、第１の光電変換素子１３２への光路を構成するミラーであり、原稿表面で反射された光のうち、既定の角度（本例では、原稿表面に対して斜め方向となる角度）で出射された反射光を第１の光電変換素子１３２へ導く。また、第２のフルレートミラー１２２ｂは、第２の光電変換素子１３４への光路を構成するミラーであり、原稿表面で反射された光のうち、第１のフルレートミラー１２２ａとは異なる角度（本例では、原稿表面に対して略垂直な角度）で出射された反射光を第２の光電変換素子１３４へ導く。
【００５５】
第２の実施形態の文書管理装置２は、上記構成により、第１の光電変換素子１３２及び第２の光電変換素子１３４でそれぞれ画像データを生成し、生成された複数の画像データの組に対して、証明情報を付与する。
この場合に、第１の光電変換素子１３２により生成された画像データは、原稿表面から斜め方向に出射された光に基づくものであり、改竄痕を検出するために用いられる。また、第２の光電変換素子１３４により生成された画像データは、原稿表面から略垂直な方向に出射された光に基づくものであり、閲覧するために用いられると共に、第１の光電変換素子１３２により生成された画像データと対比して改竄痕の有無を確認するために用いられる。
【００５６】
以上説明したように、本実施形態における文書管理装置２は、互いに異なる複数の光検知方法を適用することにより、同一の原稿から、互いに異なる複数の画像データを読み取り、読み取られた複数の画像データを、改竄痕の確認を目的として提供することができる。
また、本例の文書管理装置２は、１度の画像読取動作で、複数の画像データを同時に読み取ることができるため好適である。
なお、本実施形態では、第１の光電変換素子１３２及び第２の光電変換素子１３４が、共にＣＣＤで構成される形態を具体例として説明したが、第１の光電変換素子１３２及び第２の光電変換素子１３４のいずれか一方がＣＣＤで構成され、他方がＣＭＯＳセンサで構成されてもよいし、第１の光電変換素子１３２及び第２の光電変換素子１３４が共にＣＭＯＳセンサで構成されてもよい。
【００５７】
［第３の実施形態］
次に、第３の実施形態を説明する。
第３の実施形態における文書管理装置２は、複数の焦点位置で、同一の原稿から画像データを読み取る。
図１０は、第３の実施形態の文書管理装置２を説明する図である。なお、本図に示された各構成のうち、図１に示された構成と実質的に同一であるものには同一の符号が付されている。
図１０（Ａ）に例示するように、第３の実施形態の文書管理装置２は、図１に例示する各構成に、焦点位置制御装置５０を追加した構成をとる。
焦点位置制御装置５０は、画像読取ユニット１０に設けられた結像レンズ１２７を変位させて、焦点位置を変位させる。例えば、焦点位置制御装置５０は、光電変換ユニット１３で検出される光量に応じて、焦点位置を決定する。すなわち、本例の焦点位置制御装置５０は、結像レンズ１２７を変位させて光電変換ユニット１３で検知される光量を比較して、検知される光量がほぼ最大となる焦点位置を第１の焦点位置とし、第１の焦点位置とは異なる焦点位置の中から、局所的に光量が最大となる焦点位置を、第２の焦点位置とする。すなわち、第１の焦点位置は、図１０（Ｂ）に例示するように、原稿表面の大部分で焦点が合う焦点位置であり、第２の焦点位置は、原稿表面の一部（例えば、原稿表面の凹凸）で焦点が合う焦点位置である。
本例の文書管理装置２は、第１の焦点位置及び第２の焦点位置で、それぞれ原稿の画像を読み取り、読み取られた複数の画像データに対して証明情報を付与する。第１の焦点位置で読み取られた画像データは、閲覧用として用いることができ、第２の焦点位置で読み取られた画像データは、改竄痕の確認用に用いることができる。
【００５８】
以上説明したように、本実施形態の文書管理装置２は、複数の焦点位置で、原稿から画像データを読み取り、読み取られた複数の画像データを互いに対応付けて管理する。これにより、利用者は、原稿に対する改竄の有無を画像データに基づいて確認することができる。
なお、本例の文書管理装置２は、光電変換ユニット１３で検知される光量に応じて、複数の焦点位置を決定したが、これに限定されるものではなく、例えば、複数の焦点位置を予め定めておいてもよいし、第１の焦点位置のみを予め定めておき、この第１の焦点位置を基準として、光電変換ユニット１３で検知される光量に応じて他の焦点位置を決定するようにしてもよい。
【図面の簡単な説明】
【００５９】
【図１】第１の実施形態における文書管理装置２の構成を示す図である。
【図２】画像読取ユニット１０（図１）による閲覧用画像の読取処理を説明する図である。
【図３】画像読取ユニット１０（図１）による改竄痕検出用画像の読取処理を説明する図である。
【図４】文書管理装置２（図１）による文書管理処理（Ｓ１０）のフローチャートである。
【図５】文書管理装置２により作成されるデータファイル８００を例示する図である。
【図６】第１の変形例における光源ユニット１１を例示する図である。
【図７】第２の変形例における光源ユニット１１を例示する図である。
【図８】第３の変形例における光源ユニット１１を例示する図である。
【図９】第２の実施形態で適用される画像読取ユニット１０を模式的に説明する図である。
【図１０】第３の実施形態の文書管理装置２を説明する図である。
【符号の説明】
【００６０】
２・・・文書管理装置
１０・・・画像読取ユニット
１１・・・光源ユニット
１１２・・・第１の光源
１１４・・・第２の光源
１１６・・・第３の光源
１１８・・・フィルタ
１３・・・光電変換ユニット
１３２・・・第１の光電変換素子
１３４・・・第２の光電変換素子
２０・・・画像処理装置
３０・・・証明情報付与ユニット
４０・・・記憶装置
５０・・・焦点位置制御装置
８００・・・データファイル
８１０・・・第１の画像データ
８２０・・・第２の画像データ
８３０・・・証明データ
【図１】
2006295755.tif 000003
【図２】
2006295755.tif 000004
【図３】
2006295755.tif 000005
【図４】
2006295755.tif 000006
【図５】
2006295755.tif 000007
【図６】
2006295755.tif 000008
【図７】
2006295755.tif 000009
【図８】
2006295755.tif 000010
【図９】
2006295755.tif 000011
【図１０】
2006295755.tif 000012